(57)【要約】      （修正有）【課題】回転ドリップ式コーヒーメーカーの構造を提供する。【解決手段】機械本体１は、上下に挿通する開口１０を設け、載置台２を該開口周縁に設けて湯を受けるカップ３をその外周に形成したマッチング部３２により載置する。カップ底部にドリップ穴を設けると共にその下方にコーヒー紛を入れたコーヒー粉皿４を設け、機械本体に設けた駆動機構１１により上記載置台を介してカップ３を回転させることにより、コーヒー粉皿４内のコーヒー紛に均一に熱湯を注ぐことができる。コーヒー粉皿４底部部の濾過部を通して滴下するコーヒーはさらに下方のポット若しくは容器によって受けられる。【選択図】図２
0003222643.tif 000002
【実用新案登録請求の範囲】
【請求項１】
機械本体を含み、
該機械本体の上部に上下に貫通する開口部を設け、該開口部の周縁に載置台を設けて、該開口部の内部には底部にドリップ穴を設けたカップを着脱可能に設置し、
該カップの下方には該ドリップ穴に相対してコーヒー粉皿を配置し、
該コーヒー粉皿は、複数のドリップ穴を具有するろ過器を固定或いは着脱可能に設け、該カップの外周に直径方向に突出してマッチング部を設け、且つ上記載置台に複数の互いに間隔を空けた載置リブを設けて該マッチング部を載置し、且つ該機械本体に駆動構造を設けて該載置台と連結した駆動機構を設けることにより該載置台を介して間接的に該カップを駆動して回転させるようにしたことを特徴とする回転ドリップ式コーヒーメーカーの構造。
【請求項２】
前記カップのドリップ穴の近くには更に間隔を置いて別のドリップ穴を設けて複数のドリップ穴を形成したことを特徴とする請求項１記載の回転ドリップ式コーヒーメーカーの構造。
【請求項３】
前記複数の互いに間隔を開けた載置リブの間に、それぞれ斜め下向きに前記開口に向けて傾斜した面からなるアークエッジ或いは斜めの縁を設けたことを特徴とする請求項１記載の回転ドリップ式コーヒーメーカーの構造。
【請求項４】
前記カップの内部の底面は、傾斜した斜めカップの底面とし、且つ前記複数のドリップ穴の開孔表面は、いずれも該斜めカップの底面の低い場所に位置することを特徴とする請求項２記載の回転ドリップ式コーヒーメーカーの構造。
【請求項５】
前記カップのドリップ穴の形態は、中心に向けて収束する溝を形成することを特徴とする請求項１記載の回転ドリップ式コーヒーメーカーの構造。
【考案の詳細な説明】
【技術分野】
【０００１】
本考案はコーヒーメーカーの装置に関し、特に回転ドリップ式コーヒーメーカーの構造に関する。
【背景技術】
【０００２】
コーヒーは多くの人が愛用する飲み物である。インスタントコーヒーのほかに、多くの人が耳掛けタイプと言われる方法でコーヒーを淹れる。コーヒー粉を一つの耳掛けタイプフィルターバッグ(通称耳掛けバッグ)に盛り、お湯をかけるとコーヒーが該耳掛けタイプフィルターバッグから抽出して流れ出てくる。この装置をコーヒーメーカーと呼ぶ人もいる。該耳掛けタイプフィルターバッグをろ過皿に変更しても、簡易の耳掛けタイプフィルターバッグ、或いはコーヒーメーカーのろ過皿のいずれに限らず、ユーザーはお湯をコーヒー粉に注ぐため、人の手での操作では、抽出が不均等となる恐れがあり、コーヒーのクォリティにも影響する。
【０００３】
その後、中国の特許ＣＮ２０３９８７５９７(従来技術二とする)があり、その内容は一種の回転式ドリップコーヒーメーカーを掲示する。それに含まれるのは断面が逆の“凹”字を呈するスタンドであり、スタンドの台座にコーヒーカップを設置し、コーヒーカップの上に漏斗を設置する。当該スタンドの頂上端に水ポットを設置し、水ポットに注ぎ口を接続する。該注ぎ口は漏斗の中心から外してできるだけ漏斗の外縁に近づけて設置する。注ぎ口から水が出るとき、スタンドに設ける回転装置の駆動によりコーヒーカップ或いは注ぎ口が回転する。特許明細書の説明では、回転装置の駆動によりコーヒーカップと注ぎ口が相対的な動きを行い、ハンドドリップ時の回転の動きを模擬し、コーヒー或いはお茶などの味わいを保障すると同時に、ハンドドリップで淹れる手間を無くし、高い安全性を具有し、便利に使用できるなどのメリットを持つ。しかし、当該水ポットが着脱可能なものか否かを掲示しておらず、使用時及び洗浄する際に比較的不便であり、また単一の注ぎ口では多元で豊富な味わいを得ることができない。
【０００４】
よって本考案の考案者は、かつて研究開発して、中国特許ＣＮ２０５６４９３７８(従来技術一とする)を取得した。このコーヒーメーカー装置に含まれるのは台座である。台座がコーヒーカップを支え、台座の上表面に台座と垂直になるサポートアームを設け、該サポートアームは中空の構造である。サポートアームの頂部からサイド壁方向に、液体貯蔵器を固定するカバーパイプを延伸する。サポートアームの中部からサイド壁方向に、溶解カップを支えるサポートスタンドを延伸する。サポートアーム内に、液体貯蔵器の回転を駆動する駆動器を設ける。駆動器が液体貯蔵器の回転を駆動し、液体貯蔵器内の液体は、回転して溶解カップ内に流れる。溶解カップ内にてコーヒー粉を溶かしてから、液体がコーヒーカップ内に流れる。従来技術（一）の液体貯蔵器は着脱可能に取り外して使用するのに便利であり、且つ該従来技術（一）の液体の出口が複数個あり、相対的に多くの位置から淹れることができる。
しかし、本考案の考案者はこれで満足せず、更に如何にして水がスムーズに流れるのか、液体貯蔵器が駆動される回転の度合い及び水分が回転機構の中に落ちるのを避けるように、更なる改善が必要であると考えた。
【先行技術文献】
【特許文献】
【０００５】
【特許文献１】特開２００７−１５９８９７号公報
【特許文献２】特開２０１８−１９６４６６号公報
【考案の概要】
【考案が解決しようとする課題】
【０００６】
前記公知構造の欠点を解決するため、本考案は回転ドリップ式コーヒーメーカーを提供することを主な課題とする。
【課題を解決するための手段】
【０００７】
上述の目的を解決するために、本考案は回転ドリップ式コーヒーメーカーの構造を提供するものである。機械本体を含み、該機械本体の上部に上下に貫通する開口を設け、該開口の周りに載置台を設け、該開口の内部には底部にドリップ穴を設けたカップを着脱可能に設置し、該カップの下方は該ドリップ穴に相対してコーヒー粉皿を配置する。該コーヒー粉皿は、複数のドリップ穴を具有するろ過器を固定或いは着脱可能に設け、該カップの外周辺に直径方向に突出してマッチング部を設け、且つ該載置台に複数の互いに間隔を開けた載置リブを設けて該マッチング部を載置し、且つ該機械本体に駆動装置を設けて該載置台と連結した駆動機構を形成し、間接的に該カップを駆動して回転させる。
該カップの外周辺に直径方向に突出したマッチング部を設けて、複数の互いに間隔を開けた載置リブによって載置することにより、該カップの底部全体と該載置台が接触した際に生じうるズレ現象を避けることができる。よって、該機械本体の駆動構造が該載置台を駆動回転する際、該載置台の複数の互いに間隔を開けた載置リブの上に位置する該カップは、的確に間接的に回転される。
【考案の効果】
【０００８】
本考案の構造により、お湯を該カップに注ぎいれてから上記機械本体に設けたスイッチを押すと、該スイッチは該駆動構造１１を制御し、該載置台を回転させ、そして間接的に該カップを駆動して回転し、該カップのドリップ穴を通ってお湯がコーヒー粉皿に滴下し、コーヒーを抽出して外受けカップに流れ落ちる。
【図面の簡単な説明】
【０００９】
【図１】本考案のシンプル機種の立体図である。
【図２】本考案のシンプル機種の立体分解図である。
【図３】本考案のシンプル機種の断面図である。
【図３−１】本考案の別の実施例のシンプル機種の断面図である。
【図４】本考案のシンプル機種に外受けカップと合わせた立体図である。
【図５】本考案の完全機種の立体図である。
【図６】本考案の完全機種の立体分解図である。
【図７】本考案の完全機種の局部断面図である。
【図７−１】本考案の別の実施例の完全機種の断面図である。
【図８】本考案に耳掛けタイプフィルターバッグと合わせた状態の立体分解略図である。
【図９】本考案のカップの単一孔に向けて溝が集束した状態になる平面図である。
【考案を実施するための形態】
【００１０】
以下、本考案の構造と特徴および効果を、最良実施例と図面を参照しながら詳細に説明する。
【００１１】
図１を参照し、図２及び図３と合わせて示すように、図１から図３-１に示す実施例は外受けカップ等のコーヒー容器を省いた回転ドリッパー式コーヒーメーカーを示すシンプル機種である。
【００１２】
本考案は一種の回転ドリッパー式コーヒーメーカーに関し、それに含まれるのは機械本体１である。該機械本体１の上部に上下に貫通する開口部１０を設け、該開口部１０の周りに載置台２を設ける。図３と合わせて示すように、該開口部１０の内部には底部にドリップ穴３１を設けたカップ３を着脱可能に設置する。該カップ３のドリップ穴３１はその下方に配置された複数のドリップ穴を具有するコーヒー粉皿４に相対する。該カップ３の上方に蓋３３を設けることで、塵が入るのを防止する。
【００１３】
図３に示すように、上記ドリップ穴３１の近くには、更に別のドリップ穴３１を離して設け、複数のドリップ穴を形成することで、お湯を更に均等に分布して注水しやすくなる。
【００１４】
図３に示すように、該コーヒー粉皿４は、複数のドリップ穴４１を具有するろ過器４０を固定して設けることができる(ドリップ穴の形態に限りがなく、底面或いは周辺に設けることができる)。図８に示すように、本考案の該コーヒー粉皿４Ｂに、多数の微細なドリップ穴を具有する耳掛けタイプフィルターバッグ４１Ｂをろ過器として着脱可能に設けることができる。耳掛けタイプの構造を利用して、上下方向に開口が貫通する枠本体４２Ｂの内部に着脱可能に掛けることができる。
【００１５】
上記カップ３の外周辺に相対して直径方向に突出したマッチング部３２を設け、且つ前記載置台２に複数の互いに間隔を開けた載置リブ２２を設けて該マッチング部３２を
載置する。且つ、該機械本体１に駆動構造１１を設け、該載置台２と連結して駆動し、間接的に該カップ３を回転させる。該駆動構造１１と該載置台２とを連結して駆動する機構は、一般的によく見られる駆動回転の構造であり、本考案の必須の要件ではないため、回転駆動機構の詳細は省略する。
【００１６】
ユーザーがお湯を該カップ３に注ぎいれてから該機械本体１に設けたスイッチ１３を押すと該スイッチ１３は該駆動構造１１を制御し、該載置台２を回転させ、そして間接的に該カップ３を駆動して回転する。お湯を該カップ３に注ぐと、該カップ３の該ドリップ穴３１(図３-１)或いは複数のドリップ穴３１(図３)より滲み出し、該ドリップ穴３１(図３-１)或いは複数のドリップ穴３１(図３)と相対するコーヒー粉皿４に滴下する。また、該コーヒー粉皿４はドリップ穴４１を設けられており、図９に示す通りお湯がコーヒー粉を通過し、コーヒーが抽出されて外受けカップ５に流れ落ちる。
【００１７】
前記カップ３の外周辺に相対して直径方向に突出して形成されたマッチング部３２は、複数の互いに間隔を開けた載置リブ２２に載置され、支持される。よって該カップ３の底部全体と該載置台２が接触した際に生じうるズレを避けることができる。よって、該機械本体１の駆動構造１１が該載置台２を駆動して回転する際、該載置台２の複数の互いに間隔を開けた載置リブ２２の上に位置する該カップ３は、的確に間接的に回転される。
【００１８】
本考案の最良実施例として、該複数の互いに間隔を開けた載置リブ２２の二つの載置リブ２２の間に、該開口部１０に向けた斜め下向きに傾斜した面からなるアークエッジ２３或いは斜めの縁を設ける。該アークエッジ２３或いは斜めの縁により、該カップ３内部の水が跳ねたり、傾けて流れ出したりした際、該アークエッジ２３或いは斜めの縁を介して該開口部１０内部に導入することができ、跳ねる或いは傾けて流れ出る水が、該機械本体１内部に浸入して該駆動構造１１が損壊するのを避けることができる。
【００１９】
お湯が前記カップ３に入ったあとドリップ穴３１に向けて流れ落ち易くするために、該カップ３の内部の底面は、傾斜した斜めカップの底面３０とし、且つ該複数のドリップ穴３１(図３)の開口上表面は、いずれも該斜めカップの底面３０の低い場所の面に合わせる。
【００２０】
図５を参照し、合わせて図６及び図７-１に示す実施例は、機種全体の外観である。
【００２１】
該実施例は一種の回転ドリップコーヒーメーカーに関し、機械本体１Ａを含む。該機械本体１Ａの上部に上下に貫通する開口部１０Ａを設ける。該開口部１０Ａの周縁に載置台２Ａを設け、該開口部１０Ａの内部には、底部にドリップ穴３１Ａを設けたカップ３Ａを着脱可能に設置する。該カップ３Ａの下方の機械本体１Ａの内部に、該ドリップ穴３１Ａと相対してコーヒー粉皿４Ａを設ける。該コーヒー粉皿４Ａは、該機械本体１Ａに架設した載置皿６Ａを介して、該載置皿６Ａの上に位置して配置する。且つ、該コーヒー粉皿４Ａには、複数のドリップ穴４１を具有するろ過器４０を固定し(底部に設けている、図の角度により未掲載)、該機械本体１Ａ内に設けたポット５Ａに相対する。
該図５に示すコーヒー粉皿４Ａの内部にも、耳掛けタイプフィルターバッグをセレクトしてろ過器とすることができる(図に未掲載)。該コーヒー粉皿４Ａの底部に微細なドリップ穴を形成して、耳掛けタイプフィルターバッグを使用しない選択肢もある。該カップ３Ａの上方に蓋３３Ａを設けて、塵防止とする。
【００２２】
図７に示すように、上記カップ３のドリップ穴３１Ａの近くには更に間隔を空けて別のドリップ穴３１Ａを設け、複数のドリップ穴を形成することで、お湯がより均等に分布して注水しやすくなる。
【００２３】
上記カップ３Ａの外周辺に相対して直径方向に突出したマッチング部３２Ａを設け、且つ前記載置台２Ａに複数の互いに間隔を開けた載置リブ２２Ａを設けて該マッチング部３２Ａを載置する。且つ、該機械本体１Ａに駆動構造１１Ａを設けて該載置台２Ａと連結して、間接的に該カップ３Ａを駆動して回転させる。該駆動構造１１Ａと該載置台２Ａとを連結する駆動機構は、一般的によく見られる駆動回転の構造であり、その構造自体は本考案の必須の要件ではないため、詳細を省略する。
【００２４】
ユーザーがお湯を該カップ３Ａに注ぎいれてから該機械本体１Ａに設けたスイッチ１３Ａを押すと、該スイッチ１３Ａは該駆動構造１１Ａを制御し、該載置台２Ａを回転させ、そして間接的に該カップ３Ａを駆動して回転する。お湯を該カップ３Ａに注いだ後、該カップ３Ａの該ドリップ穴３１Ａ(図７-１)或いは複数のドリップ穴３１Ａ(図７)より滲み出し、該ドリップ穴３１Ａ(図７-１)或いは複数のドリップ穴３１Ａ(図７)と相対するコーヒー粉皿４Ａに滴下する。
且つ、該コーヒー粉皿４Ａには、複数のドリップ穴４１を具有するろ過器４０を固定し、或いは相当数の微細なドリップ穴を具有する耳掛けタイプフィルターバッグ４１Ｂをろ過器として着脱可能に設けることができる。お湯がコーヒー粉を通過し、コーヒーとなって該外受けカップ５Ａに流れ落ちる。
【００２５】
図９に示すように、該ドリップ穴３１Ｂの形態は、複数の溝が中心に収束する形状（あるいは花びら型と呼ぶ)とすることができ、多孔の様態を呈するが、実際には尚も穴は一つであり、水流が穴に向けて導かれ、流動する効果を増やすことになる。
【００２６】
前記カップ３Ａの外周辺に相対して直径方向に突出したマッチング部３２Ａを設け、複数の互いに間隔を開けた載置リブ２２Ａによって載置される。よって該カップ３Ａの底部全体と該載置台２Ａが接触した際に生じるズレ現象を避けることができる。よって、該機械本体１Ａの駆動構造１１Ａが該載置台２Ａを駆動回転するとき、該載置台２Ａの複数の互いに間隔を開けた載置リブ２２Ａの上に位置する該カップ３Ａは、的確に間接的に駆動回転される。
【００２７】
この実施例として、前記複数の互いに間隔を開けた載置リブ２２Ａの間に、それぞれ前記開口部１０Ａに向けて斜め下向きに傾斜した面をなすアークエッジ２３Ａ或いは斜めの縁を設ける。該アークエッジ２３Ａ或いは斜めの縁により、該カップ３Ａ内部の水が跳ねたり、傾けて流れ出したりした際、該アークエッジ２３Ａ或いは斜めの縁を介して該開口部１０Ａ内部に導入することができ、跳ねる或いは傾けて流れ出る水が、該機械本体１内部に浸入して、該駆動構造１１Ａが損壊するのを避けることができる。
【００２８】
この種の実施例の該カップ３Ａの内部の底面は、同様に傾斜した斜めカップの底面３０Ａとし、且つ該複数のドリップ穴３１Ａ(図７)の上表面は、いずれも該斜めカップの底面３０Ａの低い場所の高さと一致させる。
【００２９】
この種の外受けカップなどのコーヒー容器を備えた完全機種の実施例と簡単機種と比較する実施例は、いずれも本考案の各種機能に達することができる。該コーヒー粉皿４Ａは該機械本体１Ａに架設した載置皿６Ａを介して、該載置皿６Ａの上に位置して載置し、該機械本体１Ａ内にポット５Ａを設ければよく、外受けカップを使用しない。
【００３０】
以上の実施例による本考案の詳細な説明は本考案の範囲を制限するものではない。当該分野の技術に熟知する者が、本考案の範囲内にて行う変更や調整は本考案の重要な技術的意義は失われず、本考案の範囲に含まれる。
【符号の説明】
【００３１】
１  機械本体
１Ａ  機械本体
１０  穴
１０Ａ  穴
１１  駆動構造
１１Ａ  駆動構造
１３  スイッチ
１３Ａ  スイッチ
２  載置台
２Ａ  載置台
２２  載置リブ
２２Ａ  載置リブ
２３  アークエッジ
２３Ａ  アークエッジ
３  カップ
３Ａ  カップ
３０  斜めカップの底面
３０Ａ  斜めカップの底面
３１  ドリップ穴
３１Ａ  ドリップ穴
３２  マッチング部
３２Ａ  マッチング部
３３  蓋
３３Ａ  蓋
４  コーヒー粉皿
４０  ろ過器
４Ａ  コーヒー粉皿
４Ｂ  コーヒー粉皿
４１  ドリップ穴
４１Ｂ  耳掛けタイプフィルターバッグ
４２Ｂ  枠本体
５  外受けカップ
５Ａ  ポット
６Ａ  載置皿
【図１】
0003222643.tif 000003
【図２】
0003222643.tif 000004
【図３】
0003222643.tif 000005
【図３−１】
0003222643.tif 000006
【図４】
0003222643.tif 000007
【図５】
0003222643.tif 000008
【図６】
0003222643.tif 000009
【図７】
0003222643.tif 000010
【図７−１】
0003222643.tif 000011
【図８】
0003222643.tif 000012
【図９】
0003222643.tif 000013